(57)【要約】【課題】  床下に燃料タンクを配置しても、商品性を損なうことなく容量を十分に確保することができ、しかも、燃料流動音を抑制することができる車両用燃料タンクの配置構造とする。【解決手段】  前席側に対応する部位のフロアパネル４に、床面に対して車室側に膨らむ膨出部７を形成すると共に、膨出部７に連続して車両の後方向に延びて車室側に膨らむ前後膨出部８を形成し、膨出部７の下部に燃料タンク２１の本体部２２を配置すると共に前後膨出部８の下部に燃料タンク２１の前後部２３を配置し、前後部２３の容積により燃料タンク２１の容量を増やすと共に、前後方向のタンクの長さを長くし、燃料タンク２１の内部で燃料が車両前後方向に波打つ周期を長くし、流動音の頻度を低下させる。【選択図】        図１
2005186833.tif 000002
【特許請求の範囲】
【請求項１】
車両の床下に配置される車両用燃料タンクであって、
車両の幅方向に延びる本体部を備え、該本体部に連続して車両の前後方向に延びる前後部を前記本体部に連続して設けた
ことを特徴とする車両用燃料タンク。
【請求項２】
車両前後方向に少なくとも２列の座席を有する車両のフロアパネルの前席側に対応する部位に、床面に対して車室側に膨らむ膨出部を形成すると共に該膨出部に連続して車両の前後方向に延びて車室側に膨らみ該膨出部よりも車両幅方向に幅が狭い前後膨出部を形成し、
前記膨出部及び前記前後膨出部の下側に車両用燃料タンクを配し、
前記燃料タンクは、車両の幅方向に延び前記フロアパネルの前記膨出部の下部に配置される本体部を備えると共に該本体部に連続して車両の前後方向に延び前記フロアパネルの前記前後膨出部の下部に配置される前後部が前記本体部に連続して備えられている
ことを特徴とする車両用燃料タンクの配置構造。
【請求項３】
請求項２に記載の車両用燃料タンクの配置構造において、
前記フロアパネルは最後列の座席の足元部まで延びるフロント側のフロアパネルであり、
前記車両用燃料タンクの前記前後部は前記本体部の車両後ろ側に延びて設けられ、
該前後部の後端は前記フロアパネルの後端部に位置する
ことを特徴とする車両用燃料タンクの配置構造。
【請求項４】
請求項３に記載の車両用燃料タンクの配置構造において、
前記フロアパネルはサイドメンバ及びクロスメンバからなる骨格部材に備えられ、
前記車両用燃料タンクの前記前後部の下面は前記本体部の下面より上方に位置し、
前記前後部は前記クロスメンバの上方に配されている
ことを特徴とする車両用燃料タンクの配置構造。
【請求項５】
請求項２乃至請求項４のいずれか一項に記載の車両用燃料タンクの配置構造において、
前記車両用燃料タンクの前記前後部の端部に給油口と車両用燃料タンクとをつなぐフィラーパイプを接続した
ことを特徴とする車両用燃料タンクの配置構造。
【発明の詳細な説明】
【技術分野】
【０００１】
本発明は、車両用燃料タンク及び車両用燃料タンクの配置構造に関する。
【背景技術】
【０００２】
近年、車室内のスペースを有効に利用するために、運転席や助手席の下部に燃料タンクを配置する技術が従来から種々提案されている（例えば、特許文献１）。従来の技術では、運転席や助手席の下部のフロアパネルを車室側に膨らませて膨出部とし、この膨出部の下側に燃料タンクを配置したものである。このため、運転席や助手席の下のスペースを有効に利用して燃料タンクを配置することができ、車室内のスペースを広げることができ、車両を大型化することなく乗員スペースや荷物の収納スペースを十分に確保することができる。
【０００３】
運転席や助手席の床下に燃料タンクを配置する場合、運転席や助手席の前側のフロアパネルに前席３０の乗員の足元スペースを確保する必要があり、運転席や助手席の後側のフロアパネルに後席の乗員の足元スペースを確保する必要がある。このため、従来の技術では、フロアパネルの車室側に膨らませる膨出部の大きさには制約があり、燃料タンクの最大容量には限度があった。また、運転席（居住スペース）の下に燃料タンクが存在するため、燃料流動音が乗員(特に常に乗車する運転者)に聞こえやすい。
【０００４】
【特許文献１】特開２０００−８５３８２号公報
【発明の開示】
【課題を解決するための手段】
【０００５】
本発明は、上記従来技術に鑑みてなされたもので、床下に配置しても容量を十分に確保することができ、しかも、燃料流動音を抑制することができる車両用燃料タンクを提供することを目的とする。
【０００６】
また、本発明は、上記従来技術に鑑みてなされたもので、床下に燃料タンクを配置しても、商品性を損なうことなく容量を十分に確保することができ、しかも、燃料流動音を抑制することができる車両用燃料タンクの配置構造を提供することを目的とする。
【０００７】
上記目的を解決するための請求項１に係る本願発明の車両用燃料タンクは、
車両の床下に配置される車両用燃料タンクであって、
車両の幅方向に延びる本体部を備え、該本体部に連続して車両の前後方向に延びる前後部を前記本体部に連続して設けた
ことを特徴とする。
【０００８】
上記目的を解決するための請求項２に係る本願発明の車両用燃料タンクの配置構造は、
車両前後方向に少なくとも２列の座席を有する車両のフロアパネルの前席３０側に対応する部位に、床面に対して車室側に膨らむ膨出部を形成すると共に該膨出部に連続して車両の前後方向に延びて車室側に膨らみ該膨出部よりも車両幅方向に幅が狭い前後膨出部を形成し、
前記膨出部及び前記前後膨出部の下側に車両用燃料タンクを配し、
前記燃料タンクは、車両の幅方向に延び前記フロアパネルの前記膨出部の下部に配置される本体部を備えると共に該本体部に連続して車両の前後方向に延び前記フロアパネルの前記前後膨出部の下部に配置される前後部が前記本体部に連続して備えられている
ことを特徴とする。
【０００９】
そして、請求項３に係る本願発明は、
請求項２に記載の車両用燃料タンクの配置構造において、
前記フロアパネルは最後列の座席の足元部まで延びるフロント側のフロアパネルであり、
前記車両用燃料タンクの前記前後部は前記本体部の車両後ろ側に延びて設けられ、
該前後部の後端は前記フロアパネルの後端部に位置する
ことを特徴とする。
【００１０】
また、請求項４に係る本願発明は、
請求項３に記載の車両用燃料タンクの配置構造において、
前記フロアパネルはサイドメンバ及びクロスメンバからなる骨格部材に備えられ、
前記車両用燃料タンクの前記前後部の下面は前記本体部の下面より上方に位置し、
前記前後部は前記クロスメンバの上方に配されている
ことを特徴とする。
【００１１】
また、請求項５に係る本願発明は、
請求項２乃至請求項４のいずれか一項に記載の車両用燃料タンクの配置構造において、
前記車両用燃料タンクの前記前後部の端部に給油口と車両用燃料タンクとをつなぐフィラーパイプを接続した
ことを特徴とする。
【発明の効果】
【００１２】
請求項１の本発明では、本体部に連続して車両の前後方向に延びる前後部を設けたことで、前後部の容積により燃料タンクの容量を増やすことができると共に、前後方向のタンクの長さを長くすることができ、制動時や加速時に燃料が車両前後方向に波打つ周期が長くなり、前後の壁面に波が当たって落下する際に発生する滴下音(流動音)の頻度を低下させることができる。また、波が前後の壁面間を移動する距離が長くなり波が減衰されて流動音の大きさを低下させることができる。このため、床下に配置しても容量を十分に確保することができ、しかも、燃料流動音を抑制することができる車両用燃料タンクとすることが可能になる。
【００１３】
請求項２の本発明では、前席側に対応する部位のフロアパネルに、床面に対して車室側に膨ら膨出部を形成すると共に、膨出部に連続して車両の前後方向に延びて車室側に膨らみ膨出部より幅が狭い前後膨出部を形成し、本体部に連続して車両の前後方向に延びる前後部が設けられた燃料タンクを適用し、膨出部の下部に燃料タンクの本体部を配置すると共に前後膨出部の下部に前後部を配置したので、前後部の容積により燃料タンクの容量を増やすことができると共に、前後方向のタンクの長さを長くすることができ、制動時や加速時に燃料が車両前後方向に波打つ周期が長くなり、前後の壁面に波が当たって落下する際に発生する滴下音(流動音)の頻度を低下させることができる。また、波が前後の壁面間を移動する距離が長くなり波が減衰されて流動音の大きさを低下させることができる。また、前後膨出部は車両の前後方向に延びて且つ膨出部より車両幅方向に幅が狭いため車室内に膨出しても違和感が生じない。このため、床下に配置しても容量を十分に確保することができ、しかも、燃料流動音を抑制することができる車両用燃料タンクとすることが可能になる。このため、床下に燃料タンクを配置しても、商品性を損なうことなく容量を十分に確保することができ、しかも、燃料流動音を抑制することができる車両用燃料タンクの配置構造とすることが可能になる。
【００１４】
請求項３に係る本発明では、前後部の後端は、最後列の座席の足元部まで延びるフロアパネルの後端の位置に延びているので、前後部の前後方向の長さが長くなり、燃料タンクの容量を効果的に増やすことができる。
【００１５】
請求項４に係る本発明では、前後部の下面は本体部の下面より上方に位置し、前後部はクロスメンバの上方に配されているので、クロスメンバの補強作用に影響を及ぼすことがなく横方向の補強を的確に行うことができる。また、本体部と前後部の底面の段差により波打ち状態が減衰され、流動音の抑制を効果的に行うことができる。
【００１６】
請求項５に係る本発明では、車両用燃料タンクの前後部の端部に給油口と車両用燃料タンクとをつなぐフィラーパイプを接続したので、フィラーパイプを燃料タンクまでつなげるための特別な工夫が不要で、前後部が延びる方向に給油口を備えることでフィラーパイプを短くすることができる。
【発明を実施するための最良の形態】
【００１７】
以下に本発明の実施の形態を図面に基づき詳細に説明する。
【００１８】
図１には本発明の一実施形態例に係る車両用燃料タンクの配置構造を説明する車両フレームの斜視状況、図２にはフロアパネルの外観を表す斜視状況、図３には本発明の一実施形態例に係る燃料タンクの全体状況を表す斜視状況、図４には燃料タンクの平面視状況、図５には燃料タンクの側面視状況、図６には燃料タンクの後面視状況、図７には図１中のVII-VII線矢視、図８には図７中のVIII-VIII線矢視を示してある。
【００１９】
図１に示すように、車体フレーム１には、車両前後方向に延びる一対のサイドメンバ２が備えられ、サイドメンバ２同士には車幅方向に延びるクロスメンバ３が前後方向に複数設けられている。サイドメンバ２の車両前後方向の前側にはサイドメンバ２同士の幅が狭くなる狭幅部２aが形成され、サイドメンバ２同士の幅は車両中央部近傍から狭幅部２aに向かい漸次幅が減少して構成されている。
【００２０】
車体フレーム１の中央部（サイドメンバ２同士の幅が漸次狭くなっている部分）には車室の床面を構成するフロントフロアパネル(フロアパネル)４が設けられ、フロアパネル４の車両前後方向の前側の端部にはダッシュパネル５が設けられている。フロアパネル４の車両前後方向の後側の端部にはリヤフロアパネル６が設けられている。
【００２１】
本実施形態例の車両は、フロアパネル４の部位に車室の前席３０が設置されると共に、フロアパネル４により前席３０の乗員の足元部と後席の乗員の足元部が構成される。リヤフロアパネル６には後席が設置されると共に、後室（トランクルームやエンジンルーム等）の底面や仕切面が構成される。即ち、前後方向に２列の座席を有する車両となっている。
【００２２】
図１、図２に示すように、フロアパネル４の前席３０に対応する部位には、床面（足元部が構成される面：基準面）に対して車室側（上側）に膨出する膨出部７が形成されている。膨出部７は車幅方向、略車幅方向（運転席及び助手席の幅程度）に延びて形成され、膨出部７の上面に前席３０（運転席及び助手席）が設置される。膨出部７に連続して車両の中央部で後ろ側に延びて車室側（上側）に膨出しトンネル状をなす前後膨出部８が形成されている。尚、前後膨出部８は膨出部７に比べ車両の幅方向寸法が小さく、即ち、幅が狭くされている。具体的には運転席と助手席との隙間程度の幅である。フロアパネル４の膨出部７及び前後膨出部８の下側に車両用燃料タンク(燃料タンク)２１が配置されている。
【００２３】
尚、上述した実施形態例では、前後方向に２列の座席を有する車両を例に挙げて説明したが、３列以上の複数列の座席を有する車両に適用することも可能であり、膨出部７は最後列より前側の座席の部位に対応して設けることが可能である。また、前後膨出部８を膨出部７の後ろ側に設けた例を挙げて説明したが、前後膨出部８を膨出部７の前側、もしくは、前側及び後ろ側に設けることも可能である。
【００２４】
フロアパネル４の表面の適宜部位には車幅方向に延びる横リブ９が形成され、膨出部７の前側（前席３０の乗員の足元部）のフラットな部位には、車幅方向に延びて車両の中央部をまたぐ状態のリブ１０が形成されている。更に、リブ１０の両側には車両の前後方向に延びる前後リブ１１が形成されている。
【００２５】
上述したフロアパネル４は、前後膨出部８を膨出部７の後ろ側に設け、前後膨出部８の前側（前席３０の乗員の足元部）をフラットな状態にしている。このため、膨出部７によりデッドスペースである前席３０の下部を燃料タンク１１の配置スペースとすることができ、足元スペースの要求の厳しい前側をフラットな状態にすることができる。そして、前後膨出部８でフロアパネル４の全体の剛性が確保される。
【００２６】
特に、サイドメンバ２同士の幅は車両中央部近傍から狭幅部２aに向かい漸次幅が減少して構成されているので、前側のサイドメンバ２同士の幅が短く前側（前席３０の乗員の足元部）をフラットな状態にしてもサイドメンバ２と共にフロアパネル４の剛性を確保することができる。更に、車両の中央部をまたぐ状態のリブ１０が形成されているので、膨出部を形成することなくフロアパネル４の剛性を確保することができ、前後リブ１１により剛性の確保を確実にすることができる。
【００２７】
図３乃至図８に基づいて燃料タンク２１を説明する。
【００２８】
図３乃至図６に示すように、燃料タンク２１は、車両の幅方向に延びフロアパネル４の膨出部７の下部に配置される本体部２２を備え、本体部２２の車幅方向の中央部に連続して車両の後ろ側に延びる前後部２３が形成されている。前後部２３は前後膨出部８の下部に配置される。燃料タンク２１は、本体部２２及び前後部２３が、例えば、射出成形により一体に形成されている。本体部２２は車幅方向で膨出部７と略同じ幅とされ膨出部７に収まっている。
【００２９】
図５に示すように、前後部２３の下面２３aは本体部２２の下面２２aより上方に位置して設けられている。また、図６に示すように、本体部２２は車幅方向の片側の下面２２aが前後部２３の下面２３aよりも下方に位置し、他側の下面２２bは前後部２３の下面２３aと略同じ高さとなっている。このため、燃料が少なくなった際には本体部２２の車幅方向の片側の下面２２a側だけに残燃料が溜り、供給用のポンプ等の供給手段を複数設ける必要がない。
【００３０】
図７に示すように、燃料タンク２１の前後部２３の後端はフロアパネル４の後端部に位置し、前後部２３の後端部には接続部２４が設けられ、接続部２４には図示しない給油口から延びるフィラーパイプ２５が接続されている。このため、給油口を車両の後部に設けることで、フィラーパイプ２５を燃料タンク２１までつなげるための特別な工夫が不要で、フィラーパイプ２５を短くすることができる。
【００３１】
図７、図８に示すように、燃料タンク２１の前後部２３は燃料タンク２１の後ろ側のクロスメンバ３の上方に配されている。前後部２３は、例えば、射出成形により形成されているために、低くするには(薄くするには)限度があり、また、前後膨出部８の高さにも限度があり、前後部２３の底面２３aの高さはフロアパネル４の基準面(足元部となる平面)よりも低い位置にある。このため、図８に示すように、クロスメンバ３の上面には前後部２３が配置される凹部２７が形成されている。
【００３２】
このため、クロスメンバ３の補強作用に影響を及ぼすことがなく横方向の補強を的確に行うことができる。
【００３３】
また、燃料タンク２１の本体部２２の上部にはブリーザパイプ２６が接続され、ブリーザパイプ２６は前後膨出部８の下側で前後部２３の上面に沿って配置され、更に、フロアパネル４より後方（図示省略）で給油口近傍のフィラーパイプ２５まで延びている。このため、ブリーザパイプ２６を複雑な形状にすることなく高い位置に保持することができ、給油時のエア抜きを的確に行うことができる。
【００３４】
上述した構成では、前後膨出部８が車室内における後席の足元部の中央部に存在することになるが、後席の足元部の中央部にはプロペラシャフト等が貫通する凸状の部材が存在する車種もあり、後席の足元部の中央部は前後膨出部８が存在しても乗員に違和感を与える虞がほとんどない場所となっている。このため、燃料タンク２１の前後部２３を配置するための前後膨出部８が車室内における後席の足元部の中央部に存在しても商品性を損なうことがない。
【００３５】
上記構成の構造では、前席３０側に対応する部位のフロアパネル４に、床面に対して車室側に膨らむ膨出部７を形成すると共に、膨出部７に連続して車両の後方向に延びて車室側に膨らむ前後膨出部８を形成し、本体部２２に連続して車両の後方向に延びる前後部２３が設けられた燃料タンク２１を適用し、膨出部７の下部に燃料タンク２１の本体部２２を配置すると共に前後膨出部８の下部に前後部２３を配置したので、前後部２３の容積により燃料タンク２１の容量を増やすことができると共に、前後方向のタンクの長さを長くすることができる。
【００３６】
これにより、制動時や加速時に燃料タンク２１の内部で燃料が車両前後方向に波打つ周期が長くなり、前後の壁面に波が当たって落下する際に発生する滴下音(流動音)の頻度を低下させることができる。また、燃料の波が前後の壁面間を移動する距離が長くなり波が減衰されて流動音の大きさを低下させることができる。また、前後膨出部８は車両の後方向に延びているため車室内に膨出しても違和感が生じない。
【００３７】
このため、床下に配置しても容量を十分に確保することができ、しかも、燃料流動音を抑制することができる燃料タンク２１とすることが可能になる。従って、床下に燃料タンク２１を配置しても、商品性を損なうことなく容量を十分に確保することができ、しかも、燃料流動音を抑制することができる車両用燃料タンクの配置構造とすることが可能になる。
【００３８】
また、燃料タンク２１の前後部２３の後端は、最後列の座席の足元部まで延びるフロアパネル４の後端の位置に延びているので、前後部２３の前後方向の長さが長くなり、燃料タンク２１の容量を効果的に増やすことができる。
【００３９】
また、燃料タンク２１の前後部２３の下面は本体部２２の下面より上方に位置し、前後部２３はクロスメンバ３の上方に配されているので、クロスメンバ３の補強作用に影響を及ぼすことがなく横方向の補強を的確に行うことができる。また、本体部２２と前後部２３の底面の段差により燃料の波打ち状態が減衰され、流動音の抑制を効果的に行うことができる。
【００４０】
また、燃料タンク２１の前後部２３の端部に給油口と燃料タンク２１とをつなぐフィラーパイプ２５を接続したので、フィラーパイプ２５を燃料タンク２１までつなげるための特別な工夫が不要で、車両の後方（前後部２３が延びる方向）に給油口を備えることでフィラーパイプ２５を短くすることができる。
【産業上の利用可能性】
【００４１】
床下に配置しても容量を十分に確保することができ、しかも、燃料流動音を抑制することができる車両用燃料タンクとすることができる。
【００４２】
床下に燃料タンクを配置しても、商品性を損なうことなく容量を十分に確保することができ、しかも、燃料流動音を抑制することができる車両用燃料タンクの配置構造とすることができる。
【図面の簡単な説明】
【００４３】
【図１】本発明の一実施形態例に係る車両用燃料タンクの配置構造を説明する車両フレームの斜視図である。
【図２】フロアパネルの外観を表す斜視図である。
【図３】本発明の一実施形態例に係る燃料タンクの全体状況を表す斜視図である。
【図４】燃料タンクの平面図である。
【図５】燃料タンクの側面図である。
【図６】燃料タンクの後面図である。
【図７】図１中のVII-VII線矢視図である。
【図８】図７中のVIII-VIII線矢視図である。
【符号の説明】
【００４４】
１  車体フレーム
２  サイドメンバ
３  クロスメンバ
４  フロントフロアパネル（フロアパネル）
５  ダッシュパネル
６  リヤフロアパネル
７  膨出部
８  前後膨出部
９  横リブ
１０  リブ
２１  燃料タンク
２２  本体部
２３  前後部
２４  接続部
２５  フィラーパイプ
２６  ブリーザパイプ
２７  凹部
３０  前席
【図１】
2005186833.tif 000003
【図２】
2005186833.tif 000004
【図３】
2005186833.tif 000005
【図４】
2005186833.tif 000006
【図５】
2005186833.tif 000007
【図６】
2005186833.tif 000008
【図７】
2005186833.tif 000009
【図８】
2005186833.tif 000010